【手続補正書】
【提出日】平成15年7月1日(2003.7.1)
【手続補正１】
【補正対象書類名】明細書
【補正対象項目名】特許請求の範囲
【補正方法】変更
【補正の内容】
【特許請求の範囲】
【請求項１】
所定の符号を付加するための所定領域を有する画像データを受信する受信手段と、その受信した画像データの前記所定領域から前記所定の符号を認識する認識手段と、その認識結果に基づき、前記所定の符号が存在する場合は、利用者に対して照合符号の入力を促すメッセージを表示し、その利用者からの入力を受け付け、前記所定の符号が存在しない場合は前記メッセージを表示しない対話手段と、その受け付けた照合符号と前記所定の符号とを照合する照合手段と、その照合の結果、符号が一致した場合は、前記受信した画像データの一部又は全部を出力し、一致しない場合は出力しないデータ出力手段とを備え、前記データ出力手段は、前記認識手段で前記所定の符号が認識されなかった場合は、前記受信した画像データを出力することを特徴とする画像データ受信装置。
【請求項２】
更に、テレビ放送を受信して放送内容を表示するテレビ放送表示手段を備え、前記対話手段におけるメッセージ及び前記データ出力手段における画像データを、前記テレビ放送表示手段に表示されている放送内容に重ねて、あるいは放送内容に代えて表示することを特徴とする請求項１記載の画像データ受信装置。
【請求項３】
所定の符号を付加するための所定領域を有する画像データを記録する記録媒体から前記画像データを読み出す画像読み出し手段と、その読み出した画像データの前記所定領域から前記所定の符号を認識する認識手段と、その認識結果に基づき、前記所定の符号が存在する場合は、利用者に対して照合符号の入力を促すメッセージを表示し、その利用者からの入力を受け付け、前記所定の符号が存在しない場合は前記メッセージを表示しない対話手段と、その受け付けた照合符号と前記所定の符号とを照合する照合手段と、その照合の結果、符号が一致した場合は、前記読み出した画像データの一部又は全部を出力し、一致しない場合は出力しないデータ出力手段とを備え、前記データ出力手段は、前記認識手段で所定の符号が認識されなかった場合は、前記読み出した画像データを出力することを特徴とする画像データ再生装置。
【請求項４】
返信先及び返信内容に関する情報を付加するための所定領域を有する画像データを受信する受信手段と、その受信した画像データの前記所定領域から前記返信先及び返信内容に関する情報を認識する認識手段と、その認識結果に基づき、利用者に対して返信に関する情報の入力を促すメッセージを表示し、その利用者からの入力を受け付ける対話手段と、その受け付けた返信に関する情報に基づき、返信が必要な場合は、前記返信先情報から認識した返信先に前記返信に関する情報を送信する送信手段とを備えたことを特徴とする画像データ受発信装置。
【請求項５】
対話手段は、テレビ放送を受信して放送内容を表示するテレビ放送表示手段を有するものであって、前記メッセージを、前記テレビ放送表示手段に表示されている放送内容に重ねて、あるいは放送内容に代えて表示することを特徴とする請求項４記載の画像データ受発信装置。
【請求項６】
返信先情報を付加するための所定領域を有する画像データを受信する受信手段と、その受信した画像データの前記所定領域から前記返信先情報を認識する認識手段と、その認識結果に基づき、利用者に対して返信するか否かの情報の入力を促すメッセージを表示し、その利用者からの入力を受け付ける対話手段と、その受け付けた情報に基づき、返信が必要な場合は、予め用意されている所定の返信データを前記返信先情報から認識した返信先に送信する確認送信手段とを備えたことを特徴とする画像データ受発信装置。
【請求項７】
対話手段は、テレビ放送を受信して放送内容を表示するテレビ放送表示手段を有するものであって、前記メッセージの表示を、前記テレビ放送表示手段に表示されている放送内容に重ねて、あるいは放送内容に代えて行うことを特徴とする請求項６記載の画像データ受発信装置。
【請求項８】
所定の符号を付加するための所定領域を有する画像データを受信し、その受信した画像データの前記所定領域から前記所定の符号を認識し、その認識結果に基づき、前記所定の符号が存在する場合は、利用者に対して照合符号の入力を促すメッセージを表示し、その利用者からの入力を受け付け、その受け付けた照合符号と前記所定の符号とを照合し、その照合の結果、符号が一致した場合は、前記受信した画像データの一部又は全部を出力し、一致しない場合は出力せず、前記所定の符号が存在しない場合は、前記メッセージを表示せず、前記受信した画像データを出力することを特徴とする画像データ受信方法。
【請求項９】
返信先及び返信内容に関する情報を付加するための所定領域を有する画像データを受信し、その受信した画像データの前記所定領域から前記返信先及び返信内容に関する情報を認識し、その認識結果に基づき、利用者に対して返信に関する情報の入力を促すメッセージを表示し、その利用者からの入力を受け付け、その受け付けた返信に関する情報に基づき、返信が必要な場合は、前記返信先情報から認識した返信先に前記返信に関する情報を送信することを特徴とする画像データ受発信方法。
【請求項１０】
返信先情報を付加するための所定領域を有する画像データを受信し、その受信した画像データの前記所定領域から前記返信先情報を認識し、その認識結果に基づき、利用者に対して返信するか否かの情報の入力を促すメッセージを表示し、その利用者からの入力を受け付け、その受け付けた情報に基づき、返信が必要な場合は、予め用意されている所定の返信データを前記返信先情報から認識した返信先に送信することを特徴とする画像データ受発信方法。
【請求項１１】
画像データと前記画像データの機密性を保持する暗証番号に関する情報とを受信する受信手段と、その受信した暗証番号に関する情報を認識する認識手段と、その認識結果に基づき、前記所定の暗証番号に関する情報が存在する場合は、利用者に対して暗証番号の入力を促すメッセージを表示し、その利用者からの入力を受け付ける対話手段と、その受け付けた暗証番号と前記受信した暗証番号とを照合する照合手段と、その照合の結果、暗証番号が−致した場合は、前記受信した画像データの一部又は全部を出力し、一致しない場合は出力しないデータ出カ手段とを備えたことを特徴とする画像データ受信装置。
【請求項１２】
前記暗証番号は数字、アルファベットの少なくとも１つの情報からなる請求項１１記載の画像データ受信装置。
【請求項１３】
画像データを受信した際に前記画像データの機密性を保持する暗証番号に関する情報が存在するか否かを認識する認識ステップと、その認識結果に基づき、前記暗唱番号に関する情報が存在する場合は、利用者に対  して暗証番号の入力を促すメッセージを表示し、その利用者からの入力を受け付ける対話ステップと、その受け付けた暗証番号と前記受信した暗証番号とを照合する照合ステップと、その照合の結果、暗証番号が一致した場合は、前記受信した画像データの一部又は全部を出力し、一致しない場合は出力しないデータ出カステップとを備え、前記データ出力ステップは、前記認識ステップで前記暗証番号に関する情報が存在しないと認識した場合は、前記受信した画像データを出力することを特徴とする画像データ受信方法。
【手続補正２】
【補正対象書類名】明細書
【補正対象項目名】００１３
【補正方法】変更
【補正の内容】
【００１３】
請求項３の本発明は、所定の符号を付加するための所定領域を有する画像データを記録する記録媒体から画像データを読み出す画像読み出し手段と、その読み出した画像データの所定領域から所定の符号を認識する認識手段と、その認識結果に基づき、所定の符号が存在する場合は、利用者に対して照合符号の入力を促すメッセージを表示し、その利用者からの入力を受け付け、所定の符号が存在しない場合はメッセージを表示しない対話手段と、その受け付けた照合符号と所定の符号とを照合する照合手段と、その照合の結果、符号が一致した場合は、読み出した画像データの一部又は全部を出力し、一致しない場合は出力しないデータ出力手段とを備え、データ出力手段は、認識手段で所定の符号が認識されなかった場合は、読み出した画像データを出力する画像データ再生装置である。


【手続補正３】
【補正対象書類名】明細書
【補正対象項目名】００１４
【補正方法】変更
【補正の内容】
【００１４】
請求項４の本発明は、返信先及び返信内容に関する情報を付加するための所定領域を有する画像データを受信する受信手段と、その受信した画像データの所定領域から返信先及び返信内容に関する情報を認識する認識手段と、その認識結果に基づき、利用者に対して返信に関する情報の入力を促すメッセージを表示し、その利用者からの入力を受け付ける対話手段と、その受け付けた返信に関する情報に基づき、返信が必要な場合は、返信先情報から認識した返信先に返信に関する情報を送信する送信手段とを備えた画像データ受発信装置である。


【手続補正４】
【補正対象書類名】明細書
【補正対象項目名】００１５
【補正方法】変更
【補正の内容】
【００１５】
請求項６の本発明は、返信先情報を付加するための所定領域を有する画像データを受信する受信手段と、その受信した画像データの所定領域から返信先情報を認識する認識手段と、その認識結果に基づき、利用者に対して返信するか否かの情報の入力を促すメッセージを表示し、その利用者からの入力を受け付ける対話手段と、その受け付けた情報に基づき、返信が必要な場合は、予め用意されている所定の返信データを返信先情報から認識した返信先に送信する確認送信手段とを備えた画像データ受発信装置である。